(57)【要約】【課題】  特別な切り替え操作をせずメニューの現在の設定値を容易に確認できる。【解決手段】  撮影モードが選択されている際に、実行ボタンが押されるとＬＣＤパネル１４には複数のメニューが表示される（Ａ）。上下ボタンの操作によってカーソル４７を移動させて露出補正４１が選択されると、露出補正４１の全ての設定値５０の一覧がＬＣＤパネル１４の表示領域３９に最適なサイズで表示される（Ｂ）。全ての設定値５０の一覧が２〜３秒間表示された後に、現在の設定値とその前後の値が拡大して表示される（Ｃ）。これにより、特別な切り替え操作などをしなくても、選択されたメニューの全ての設定値の一覧及び現在の設定値等の設定状態が把握でき、現在の設定値の変更を容易に行うことができる。【選択図】        図４
2005250677.tif 000002
【特許請求の範囲】
【請求項１】
各種機能に対応した複数のメニューを表示する設定画面にて、所定のメニューが選択された時に、少なくとも選択されたメニューに対応する現在の設定値を表示する電子機器の設定画面表示方法において、
前記選択されたメニューに対応する全ての設定値を一覧表示した後に、少なくとも前記現在の設定値を表示することを特徴とする電子機器の設定画面表示方法。
【請求項２】
各種機能に対応した複数のメニューを表示する設定画面にて、所定のメニューが選択された時に、少なくとも選択されたメニューに対応する現在の設定値を表示する電子機器の設定画面表示方法において、
前記選択されたメニューに対応する全ての設定値を予め設定された基準サイズで前記設定画面の表示領域に一覧表示できるか否かを判定し、前記選択されたメニューに対応する全ての設定値が前記基準サイズで一覧表示できないと判定された場合には、前記選択されたメニューに対応する全ての設定値を前記表示領域に対して最適なサイズで一覧表示し、前記選択されたメニューに対応する全ての設定値を前記基準サイズまたは前記表示領域に対して最適なサイズで一覧表示した後、少なくとも前記現在の設定値を表示することを特徴とする電子機器の設定画面表示方法。
【請求項３】
前記各メニューに対応した全ての設定値を一覧表示する一覧データを前記各メニューごとに予め記憶しておき、前記複数のメニューから所定のメニューが選択されると、この選択されたメニューに対応する一覧データを読み出して前記表示領域に表示させることで、選択されたメニューに対応する全ての設定値を一覧表示することを特徴とする請求項１または２記載の電子機器の設定画面表示方法。
【請求項４】
前記選択されたメニューに対応する全ての設定値が一覧表示された後に、少なくとも前記現在の設定値を徐々に拡大表示することを特徴とする請求項１ないし３記載の電子機器の設定画面表示方法。
【請求項５】
各種機能に対応した複数のメニューを表示する設定画面にて、所定のメニューが選択された時に、少なくとも選択されたメニューに対応する現在の設定値を表示する電子機器の設定画面表示方法において、
前記選択されたメニューに対応する全ての設定値をスクロールで表示した後に、少なくとも前記現在の設定値を表示することを特徴とする電子機器の設定画面表示方法。
【請求項６】
各種機能に対応した複数のメニューを表示する表示手段と、前記複数のメニューから所定のメニューを選択する操作手段とを備え、少なくとも操作手段によって選択されたメニューに対応する現在の設定値を前記表示手段に表示する電子機器において、
前記選択されたメニューに対応する全ての設定値を前記表示手段に一覧表示した後、少なくとも前記現在の設定値を表示することを特徴とする電子機器。
【請求項７】
各種機能に対応した複数のメニューを表示する表示手段と、前記複数のメニューから所定のメニューを選択する操作手段とを備え、少なくとも前記操作手段によって選択されたメニューに対応する現在の設定値を前記表示手段に表示する電子機器において、
前記操作手段によって選択されたメニューに対応した全ての設定値を予め設定された基準サイズで前記表示手段の表示領域に一覧表示できるか否かを判定する判定手段と、
前記判定手段によって前記選択されたメニューに対応する全ての設定値が前記基準サイズで一覧表示できないと判定された場合には、前記表示手段に対して最適なサイズで前記選択されたメニューに対応する全ての設定値を表示させる表示サイズ決定手段とを備え、  前記選択されたメニューに対応する全ての設定値を前記基準サイズまたは前記表示領域に最適なサイズで一覧表示した後、少なくとも前記現在の設定値を表示することを特徴とする電子機器。
【請求項８】
各種機能に対応した複数のメニューを表示する表示手段と、前記複数のメニューから所定のメニューを選択する操作手段とを備え、少なくとも操作手段によって選択されたメニューに対応する現在の設定値を前記表示手段に表示する電子機器において、
前記操作手段によって選択されたメニューに対応する全ての設定値をスクロール表示する制御手段を備え、
前記制御手段によって前記選択されたメニューに対応す全ての設定値をスクロール表示した後に、少なくとも前記現在の設定値を表示することを特徴とする電子機器。
【発明の詳細な説明】
【技術分野】
【０００１】
本発明は、電子機器の各種機能に対応したメニューの設定を行う設定画面表示方法及び電子機器に関するものである。
【背景技術】
【０００２】
【特許文献１】特開平０６−１６１６９４号公報
【特許文献２】特開平０５−０９１３８７号公報
【０００３】
近年、表示画面を備えた電子機器において、各種機能の設定を行う際に表示画面に複数のメニューを表示させるとともに、ボタン操作のカーソル移動等によりメニューを選択させるようにした、いわゆるメニュー表示方式が採用されている。表示されるメニューや、そのメニューの複数の設定項目及び設定値の表示画面としては、スクロール形式の表示選択画面やプルダウンメニュー形式又はプルアップメニュー形式の表示画面方式が一般的に行われている。表示されるメニューや、その設定項目等が多い場合には、表示画面のスクロールやプルダウンを何度も行わなければならない。さらに、電子機器の小型化に伴って、表示画面や操作ボタン等も小型になっているので、操作性やメニュー表示の一覧性を阻害している。
【０００４】
そのため、上記特許文献１では、表示要求がある度に表示項目をメニュー表示項目決定手段に取り込み、メニュー表示テーブルを参照して、表示項目数、表示階層をリアルタイムに決定し、この決定した表示項目数に応じた文字フォントサイズを選択して表示することで、表示項目数が多い場合でもポップアップメニュー形式やポップダウンメニュー形式での選択表示を可能にしている。また、上記特許文献２では、メニューモードにおいて、複数のファンクション項目及びその設定値が表示可能なＡＬＬ  ＬＩＮＥと、単項目のファンクション項目とその設定値が表示可能な１  ＬＩＮＥとが切替可能になっている。ＡＬＬ  ＬＩＮＥでは、自動的に複数のファンクション項目とその設定値が一定周期で順次スクロールアップによって表示される。１  ＬＩＮＥでは、操作ボタンによりファンクション項目とその設定値のスクロールアップが単項目ずつ行われる。ＡＬＬ  ＬＩＮＥ及び１  ＬＩＮＥは、カーソルで示された設定値の変更が可能である。
【発明の開示】
【発明が解決しようとする課題】
【０００５】
しかしながら、上記特許文献１では、表示項目数や表示領域に応じた文字フォントサイズで表示される表示項目において、表示画面が小さく表示項目数が多い場合には、表示される表示項目も小さくなるので特定項目の選択操作等が行い難い。また、特許文献２では、複数のファンクション項目及びその設定値が順次スクロールアップで表示され、単項目のファンクション項目及びその設定値だけが表示されているが、ファンクション項目の設定値の変更可能な範囲が表示されていないので、現在の設定値が変更可能な範囲のどこに設定されているか、また、ファンクション項目はどのような設定値に変更できるか等を把握することができないという問題があった。
【０００６】
本発明は、上記問題を解決するために、メニューの現在の設定値を特別な切り替え操作を行わずに分かり易く表示し、現在の設定値の変更も容易に行える電子機器の設定画面表示方法及び電子機器を提供することを目的とする。
【課題を解決するための手段】
【０００７】
本発明の電子機器の設定画面表示方法は、各種機能に対応した複数のメニューを表示する設定画面にて、所定のメニューが選択された時に、少なくとも選択されたメニューに対応する現在の設定値を表示する電子機器の設定画面表示方法において、前記選択されたメニューに対応する全ての設定値を一覧表示した後に、少なくとも前記現在の設定値を表示することを特徴とするものである。また、前記選択されたメニューに対応する全ての設定値を予め設定された基準サイズで前記設定画面の表示領域に一覧表示できるか否かを判定し、前記選択されたメニューに対応する全ての設定値が前記基準サイズで一覧表示できないと判定された場合には、前記選択されたメニューに対応する全ての設定値を前記表示領域に対して最適なサイズで一覧表示し、前記選択されたメニューに対応する全ての設定値を前記基準サイズまたは前記表示領域に対して最適なサイズで一覧表示した後、少なくとも前記現在の設定値を表示してもよい。
【０００８】
なお、前記各メニューに対応した全ての設定値を一覧表示する一覧データを前記メニューごとに予め記憶しておき、前記複数のメニューから所定のメニューが選択されると、この選択されたメニューに対応する一覧データを読み出して前記表示領域に表示させることで、選択されたメニューに対応する全ての設定値を一覧表示してもよい。また、前記選択されたメニューに対応する全ての設定値が一覧表示された後に、少なくとも前記現在の設定値を徐々に拡大表示してもよい。また、前記選択されたメニューに対応する全ての設定値をスクロールで表示した後に、少なくとも前記現在の設定値を表示してもよい。
【０００９】
また、本発明の電子機器では、各種機能に対応した複数のメニューを表示する表示手段と、前記複数のメニューから所定のメニューを選択する操作手段とを備え、少なくとも操作手段によって選択されたメニューに対応する現在の設定値を前記表示手段に表示する電子機器において、前記選択されたメニューに対応する全ての設定値を前記表示手段に一覧表示した後、少なくとも前記現在の設定値を表示するものである。また、前記操作手段によって選択されたメニューに対応した全ての設定値を予め設定された基準サイズで前記表示手段の表示領域に一覧表示できるか否かを判定する判定手段と、前記判定手段によって前記選択されたメニューの全ての設定値が前記基準サイズで一覧表示できないと判定された場合には、前記表示手段に対して最適なサイズで前記選択されたメニューの全ての設定値を表示させる表示サイズ決定手段とを備え、前記選択されたメニューの全ての設定値を前記基準サイズまたは前記表示領域に最適なサイズで一覧表示した後、少なくとも前記現在の設定値を表示してもよい。また、操作手段によって選択されたメニューの全ての設定値をスクロール表示する制御手段を備え、前記制御手段によって前記選択されたメニューに対応する全ての設定値がスクロール表示した後に、少なくとも前記現在の設定値を表示してもよい。
【発明の効果】
【００１０】
本発明によれば、各種機能に対応した複数のメニューから操作手段によって選択されたメニューの全ての設定値を一覧表示した後に、少なくとも現在の設定値を表示しているので、特別な切り替え操作を行わなくとも選択されたメニュー全ての設定値と現在の設定値の位置関係や設定状態が容易に把握できる。また、選択されたメニューの全ての設定値を設定画面の表示領域に対して最適なサイズで一覧表示するので、見易くなった。
【００１１】
また、選択されたメニューの全ての設定値をスクロール表示した後に、少なくとも現在の設定値を表示させたので、特別な切り替え操作を行わなくても、選択されたメニューの全ての設定値と現在の設定値の設定状態が容易に把握できる。
【発明を実施するための最良の形態】
【００１２】
図１は、デジタルカメラ２の外観斜視図であり、図２は、その背面図である。図１に示すように、カメラ２の前面中央部には、撮影レンズ３が設けられた鏡筒部４が光軸方向に繰り出し自在に設けられている。鏡筒部４上方には、対物側ファインダ窓５と、被写体に向けてストロボ光を照射するストロボ発光部６とが設けられている。また、カメラ２の上面には、レリーズボタン７が設けられている。また、レリーズボタン７の下には、回動自在な撮影モードダイヤル８が設けられており、後述する，モード切替スイッチ１８（図２参照）が撮影モードの時に、オート撮影，マニュアル撮影の他、夜景モード，連写撮影モード等が選択できる。  
【００１３】
図２に示すように、カメラ２の背面には、接眼側ファインダ窓１２，操作スイッチ群１３，ＬＣＤパネル１４等が組み込まれている。ＬＣＤパネル１４は、電子ビューファインダを構成するとともに、再生された画像の確認、観察等に使用される。
【００１４】
操作スイッチ群１３は、電源スイッチ１６，カーソルボタン１７，モード切替スイッチ１８，実行ボタン１９，キャンセルボタン２０等が組み込まれている。カーソルボタン１７は、上下左右の４方向に押下できる上下左右ボタン１７ａ〜１７ｄからなり、デジタルズームのズーミングをはじめ、カーソルの移動や他のボタンとの併用で様々な撮影モードでの操作や再生時のコマ選択等の操作に使用される。モード切替スイッチ１８は、回動させることによりカメラ２のモード切替を行う。カメラ２のモードとしては、被写体像の撮像，記録を行う撮影モードと、保存された画像をＬＣＤパネル１４に再生する再生モードとがあり、モード切替スイッチ１８が上側になっている場合は撮影モード、下側になっている場合は再生モードとなる。
【００１５】
実行ボタン１９は、モード切替スイッチ１８で設定されている撮影又は再生モードに対応したメニューの設定画面をＬＣＤパネル１４に表示させる。また、キャンセルボタン２０は、設定画面が表示されている状態で押下することにより、ＬＣＤパネル１４からメニューの設定画面を消去する。
【００１６】
カメラ２の底面には、スロットカバー（図示せず）で覆われたメモリカードスロット（図示せず）が設けられており、メモリカードが挿入されて、撮影された画像データが記録される。また、スロットカバーの近傍には電池を挿入するための電池室 (図示せず) が設けられ、その電池室を覆い隠す電源蓋（図示せず）が設けられている。
【００１７】
図３は、デジタルカメラ２の構成を概略的に示すブロック図である。デジタルカメラ２は、撮影レンズ３、ＣＣＤ３０，ＬＣＤパネル１４、画像データ処理部３１、操作スイッチ群１３、ＣＰＵ３３、ＲＯＭ３４，ＲＡＭ３５、表示サイズ決定部３６等から構成されている。ＣＰＵ３３はＲＯＭ３４に格納された制御プログラムに従って、デジタルカメラ２の各部を制御する。
【００１８】
撮影レンズ３の奥には、被写体光が結像されるＣＣＤ３０が組み込まれており、撮影レンズ３を透過しＣＣＤ３０上に結像された被写体光は、ＣＣＤ３０によって光電変換され、画像データ処理部３１に入力される。画像データ処理部３１は、ＣＣＤ３０から入力された光電信号をＮＴＳＣ信号に変換してＬＣＤパネル１４に入力する。これにより、ＬＣＤパネル１４には、ＣＣＤ３０上に結像されている画像が連続して表示され、ビューファインダとして使用することができる。レリーズボタン７を操作すると、その時点でＣＣＤ３０上に結像されていた被写体光が画像データとしてメモリカード３７に記録される。
【００１９】
ＲＯＭ３４は、制御用プログラムや各種メニュー情報の他、各メニューに設けられている設定値の総数に関する個数データが格納されている。ＲＡＭ３５は、ＣＰＵ３３が制御プログラムを実行する際の作業用メモリとして用いられるとともに、撮影された画像データを一時的に記憶する。表示サイズ決定部３６は、選択されたメニューに対応する全ての設定値の数に関する個数データをＲＯＭ３４から読み出し、個数データに基づいて表示領域に対して最適な表示サイズを決定する。なお、表示サイズ決定部３６は、選択されたメニューの全ての設定値を最適な表示サイズで表示した後、現在の設定値とその前後の値を表示するためのサイズも決定する。
【００２０】
モード切替スイッチ１８が撮影モードの時に実行ボタン１９が押下されると、ＬＣＤパネル１４には撮影モードに対応した各メニューが表示される。また、モード切替スイッチ１８が再生モードの時に実行ボタン１９が押されると、ＬＣＤパネル１４には再生モードに対応した各メニューが表示される。図４（Ａ）には、撮影モード時に実行ボタン１９が押下された場合の設定画面４０の一例を示す。設定画面４０には、ＬＣＤパネル１４の左側の上部から、露出補正４１、ストロボ明るさ４２、ホワイトバランス４３、画素数４４、感度４５の順に各メニューが表示されている。これらのメニューは、上下ボタン１７ａ、１７ｂの操作で各メニュー上を移動するカーソル４７によって選択され、実行ボタン１９で決定される。なお、設定画面４０で左右ボタン１７ｃ、１７ｄが押下されると、図４（Ａ）に表示されていない他のメニューが同様に表示される。
【００２１】
設定画面４０で、露出補正４１を選択、決定した場合では、露出補正４１の個数データがＲＯＭ３４から表示サイズ決定部３６に送られる。すると、図４（Ｂ）に示すように、表示サイズ決定部３６は、露出補正４１の全ての設定値５０の一覧を表示させるために、個数データに基づいて表示領域３９に対して最適なサイズを決定する。そして、露出補正４１の全ての設定値５０の一覧は決定されたサイズで表示される。露出補正４０の全ての設定値５０は、上限が＋１．５、下限が−１．５に設定されており、０．３刻みとなっている。このとき、露出補正４１の現在の設定値は、一覧表示された全ての設定値５０内でカーソル４７によって示されている。そのため、露出補正４１の全ての設定値５０と現在の設定値の位置関係を容易に把握することができる。そして、露出補正４１の全ての設定値５０の一覧表示は、例えば２〜３秒間だけＬＣＤパネル１４に表示される。その後に、図４（Ｃ）に示すように、ＣＰＵ３３は、現在の設定値とその前後の値を表示させる。現在の設定値とその前後の値は、表示サイズ決定部３６によって露出補正４１の全ての設定値５０の一覧表示よりも拡大して表示される。さらに、カーソルボタン１７の上下ボタン１７ａ、１７ｂを押下することによって、露出補正４１の全ての設定値５０の値が上下にスクロール表示される。これにより、カーソル４７で示される値が変更される。希望の値がカーソル４７に示されたところで実行ボタン１９を押下すると、現在の設定値が変更できる。
【００２２】
なお、表示サイズ決定部３６は、他のメニューの全ての設定値についても同様に、ＲＯＭ３４に格納されている個数データに基づいて、表示領域３９に対して最適なサイズを決定する。また、選択されたメニューの全ての設定値の一覧が表示されている時、又は現在の設定値とその前後の値が表示されている時にキャンセルボタン２０が押下されると、図４（Ａ）に示す設定画面４０が表示される。また、撮影モードを選択した場合を説明したが、再生モードを選択した場合でも同様に、選択したメニューの全ての設定値の一覧が表示領域３９に対して最適なサイズが決定され、表示された後に、現在の設定値とその前後の値が表示される。      
【００２３】
次に、上記構成のデジタルカメラの作用について説明する。図５のフローチャートに示すように、撮影モードが選択されている際に、実行ボタン１９が押されるとＬＣＤパネル１４には複数のメニューが表示される。上下ボタン１７ａ、１７ｂの押下によって、露出補正４１を選択して実行ボタン１９で決定を行う。これにより、選択した露出補正４１の全ての設定値５０の一覧がＬＣＤパネル１４の表示領域３９に対して最適なサイズで表示される。露出補正４１の全ての設定値５０の一覧が２〜３秒間表示されると、露出補正４１の全ての設定値５０内の現在の設定値とその前後の値が拡大表示される。これにより、特別な切り替え操作などをしなくても、選択されたメニューの全ての設定値の一覧や、現在の設定値などの設定状態を容易に確認できるとともに、現在の設定値の変更も容易に行うことができる。
【００２４】
上記実施形態では、各メニューの個数データがＲＯＭ３４に格納されており、選択された露出補正４１に対応する個数データに基づいて、表示サイズ決定部３６は表示領域３９に対して最適なサイズを決定し、このサイズで露出補正４１の全ての設定値５０の一覧表示をした後、現在の設定値とその前後の値を拡大して表示したが、選択された露出補正４１の全ての設定値５０が、予め設定された基準サイズで一覧表示できるか否かをＣＰＵ３３に判定させて、この基準サイズで露出補正４１の全ての設定値５０が一覧で表示できない場合には、基準サイズを変更して露出補正４１の全ての設定値５０の一覧を表示するようにしてもよい。なお、この時の基準サイズとしては、例えば、各メニューの全ての設定値の数の平均を予め求め、この平均の設定値の数がＬＣＤパネル１４の表示領域３９に対して最適なサイズとなるように設定することが好ましいが、これに限るものではない。
【００２５】
基準サイズを用いる場合は、図６に示すように、設定画面４０から露出補正４１が選択、決定されると、ＣＰＵ３３はＲＯＭ３４から露出補正４１に対応する個数データを読み出して、予め設定された基準サイズで露出補正４１の全ての設定値５０の一覧が表示領域３９に表示できるか否かを判定する。露出補正４１の全ての設定値５０の一覧表示ができると判定されると、露出補正４１の全ての設定値５０の一覧は基準サイズで表示される。また、ＣＰＵ３３により露出補正４１の全ての設定値５０の一覧が基準サイズでは表示領域３９に表示できないと判定された場合には、表示サイズ決定部３６は、露出補正４１の個数データに基づいて表示領域３９に対応した最適なサイズを決定し、このサイズで露出補正４１の全ての設定値５０の一覧は表示される。露出補正４１の全ての設定値５０の一覧が２〜３秒間表示されると、現在の設定値とその前後の値が拡大表示され、上下ボタン１７ａ、１７ｂの操作によって現在の設定値の変更が可能となる。
【００２６】
なお、上記実施形態では、ＲＯＭ３４に各メニューの個数データを格納したが、これに代えて、各メニューの全ての設定値の一覧データを予め記憶させておいてもよい。この場合の一覧データとしては、画像データやテキストデータが用いられる。上下ボタン１７ａ、１７ｂによってメニューが選択された際に、このメニューに対応する画像データ又はテキストデータをＲＯＭ３４から表示サイズ決定部３６に読み出す。表示サイズ決定部３６は、この読み出された画像データ又はテキストデータをＬＣＤパネル１４の表示領域３９に対して最適なサイズに拡大又は縮小して表示することで、選択されたメニューの全ての設定値の一覧が表示される。なお、表示領域３９の現在の設定値に対応した位置には、カーソルが配置される。
【００２７】
また、上記実施形態では、選択された露出補正４１の全ての設定値５０の一覧を表示させた後に、現在の設定値とその前後の値を拡大表示させたが、これに代えて、選択された露出補正４１の全ての設定値５０の一覧を表示した後、現在の設定値及びその近傍を徐々に拡大させて表示してもよい。この場合の実施形態を図７に示す。
【００２８】
図４（Ａ）に示す設定画面４０で、上下ボタン１７ａ、１７ｂによって露出補正４１のメニューが選択され、実行ボタン１９で決定される。これにより、図７（Ａ）に示すように、ＣＰＵ３３はＲＯＭ３４に格納されている露出補正４１の個数データに基づいて予め設定された基準サイズで露出補正４１の全ての設定値５０が一覧で表示できるか否かを判定する。露出補正４１の全ての設定値５０の一覧が表示できると判定された場合には、基準サイズで表示領域３９に露出補正４１の全ての設定値５０を一覧で表示させる。また表示できないと判定された場合には、表示サイズ決定部３６が露出補正４１の個数データに基づいて表示領域３９に対して最適なサイズを決定し、このサイズで露出補正４１の全ての設定値５０の一覧を表示する。露出補正４１の全ての設定値５０の一覧が表示領域３９に２〜３秒間表示されると、図７（Ｂ）に示すように、ＣＰＵ３３は、現在の設定値とその前後２つずつの値を一覧表示より少し拡大して２〜３秒程度表示させる。さらにその後で、図７（Ｃ）に示すように、現在の設定値とその前後の値が拡大表示され、上下ボタン１７ａ、１７ｂの操作によって現在の設定値の変更が可能となる。
【００２９】
なお、表示領域３９に露出補正４１の全ての設定値５０の一覧又は現在の設定値とその前後の値を拡大表示している状態で、キャンセルボタン２０が押下されると、図４（Ａ）の設定画面に切り替わる。さらに、再びキャンセルボタン２０が押下されると設定画面をＬＣＤパネル１４から消去する。
【００３０】
図８に示すように、選択された露出補正４１の全ての設定値５０の一覧を基準サイズ又は表示領域３９に対して最適なサイズで表示した後、現在の設定値及びその近傍を徐々に拡大させて表示したので、選択されたメニューの全ての設定値と現在の設定値の位置関係が容易に把握でき、現在の設定値の変更も容易である。また、選択されたメニューの全ての設定値の一覧表示の後に、現在の設定値とその近傍を２段階に分けて徐々に拡大して表示したが、これに限らず、２段階以上に分けて現在の設定値とその近傍を徐々に拡大表示してもよい。
【００３１】
また、上記実施形態では、露出補正４１の全ての設定値５０の一覧を表示させた後に、現在の設定値とその近傍の値を徐々に拡大して表示を行うことで、露出補正４１の全ての設定値５０の一覧と現在の設定値の確認を行ったが、これに代えて、選択された露出補正４１の全ての設定値５０の上限から下限までを順にスクロール表示を行った後に、現在の設定値とその前後の値を拡大表示させ、現在の設定値の変更を行ってもよい。この場合の実施形態を図９に示す。
【００３２】
図９（Ａ）に示すように、露出補正４１のメニューが選択、決定されると、表示サイズ決定部３６は露出補正４１の設定値の上限の＋１．５から＋０．９までの３つの値を表示領域３９に対して最適なサイズに拡大表示する。そして、ＣＰＵ３３は、図９（Ｂ）に示すように−０．９から下限の−１．５が表示されるまで露出補正４１の全ての設定値５０のスクロールを行う。その後、図９（Ｃ）に示すように、表示サイズ決定部３６は現在の設定値とその前後の値を表示領域３９に対して最適なサイズに拡大表示する。そして、上下ボタン１７ａ、１７ｂの操作によって現在の設定値が変更可能となる。
【００３３】
次に、上記実施形態の作用について、図１０のフローチャートを参照して説明する。上下ボタン１７ａ、１７ｂの操作によって露出補正４１のメニューが選択され、実行ボタン１９で決定されると、露出補正４１の全ての設定値５０の上限＋１．５から＋０．９の３つの値がＬＣＤパネル１４の表示領域３９に最適なサイズに拡大表示される。そして、下限−１．５が表示されるまで露出補正４１の全ての設定値５０は自動的にスクロール表示される。露出補正４１の全ての設定値５０の下限−１．５までスクロール表示されると、今度はスクロール表示と同じサイズで、現在の設定値とその前後の値が表示される。さらに、上下ボタン１７ａ、１７ｂの操作によって現在の設定値の変更が可能になる。これにより、選択された露出補正４１の全ての設定値５０内での現在の設定値の位置関係が容易に把握できるとともに、現在の設定値の変更が容易に行うことができる。なお、選択されたメニューの全ての設定値の値を３つずつスクロール表示させたが、これに限定されるものではない。
【００３４】
なお、本実施形態では、選択されたメニューの全ての設定値の一覧を２〜３秒間表示させた後に、現在の設定値とその前後の値を拡大表示したが、選択されたメニューの全ての設定値の一覧を表示させる時間は２〜３秒に限定されるものではない。また、現在の設定値とその前後の値を拡大して表示したが、現在の設定値だけを拡大して表示してもよい。      
【００３５】
また、上記実施形態では、電子機器としてデジタルカメラ２を用いたが、これに限らず、ビデオカメラ、ＰＤＡ、パソコン、携帯電話等の表示画面を備えた電子機器に本発明を用いてもよい。
【図面の簡単な説明】
【００３６】
【図１】本発明を施したデジタルカメラの前面斜視図である。
【図２】図１に示したデジタルカメラの背面図である。
【図３】デジタルカメラの電気的構成を示すブロック図である。
【図４】露出補正の全ての設定値の一覧表示の後に設定値とその前後の値の表示を行う説明図である。
【図５】露出補正の全ての設定値の一覧表示の後に設定値とその前後の値の表示を行う流れを示すフローチャートである。
【図６】露出補正の全ての設定値の一覧表示を基準サイズで表示するか否かを判定する流れを示すフローチャートである。
【図７】露出補正の全ての設定値の一覧表示の後に、設定値とその前後の値の表示を徐々に行う説明図である。
【図８】露出補正の全ての設定値の一覧表示の後に、設定値とその前後の値の表示を徐々に行う流れを示すフローチャートである。
【図９】露出補正の全ての設定値をスクロール表示した後に、設定値とその前後の値の表示を行う説明図である。
【図１０】露出補正の全ての設定値をスクロール表示した後に、設定値とその前後の値の表示の流れを示すフローチャートである。
【符号の説明】
【００３７】
２  デジタルカメラ
１４  ＬＣＤパネル
１７  カーソルボタン
１８  モード切替スイッチ
１９  実行ボタン
２０  キャンセルボタン
３１  画像データ処理部
３３  ＣＰＵ
３４  ＲＯＭ
３６  表示サイズ決定部
３９  表示領域
４０  設定画面
【図１】
2005250677.tif 000003
【図２】
2005250677.tif 000004
【図３】
2005250677.tif 000005
【図４】
2005250677.tif 000006
【図５】
2005250677.tif 000007
【図６】
2005250677.tif 000008
【図７】
2005250677.tif 000009
【図８】
2005250677.tif 000010
【図９】
2005250677.tif 000011
【図１０】
2005250677.tif 000012